(57)【特許請求の範囲】
【請求項１】
食品加工残さまたは生ごみなどの農産系廃棄物を細断する粉砕機と、前記細断された農産系廃棄物を投入して乾燥させて炭化材料を得る乾燥部と、前記炭化材料を炭化するための炭化炉と燃焼炉とを有する炭化部と、該炭化部によって炭化させた前記炭化材料を炭化品として取出す炭化品取出部とを備え、
前記炭化部における燃焼炉で発生する乾留ガス燃焼空気を前記乾燥部に乾燥熱源として供給するように構成し、
籾殻等の補助炭化材料を前記炭化炉に供給する補助供給部を備え、
前記炭化部では、炭化作業開始時にバーナの加熱により前記補助炭化材料を炭化させて乾留ガスを発生させ、この乾留ガスの燃焼によって前記炭化炉を高温に維持し、
炭化作業時、前記炭化炉が高温に維持されているときは、前記バーナを消炎させ、
炭化作業時、前記炭化炉の温度が炭化に必要な温度より低下するときには、前記補助炭化材料と前記炭化材料との混合物を前記炭化炉に送り込むように構成されていることを特徴とする廃棄物処理装置。
【請求項２】
乾燥部で乾燥させた農産系廃棄物を乾粉として取出す乾粉取出部を設けたことを特徴とする請求項１に記載の廃棄物処理装置。
【発明の詳細な説明】
【０００１】
【発明の属する技術分野】
本発明は例えば食品及び飲料の生産工程で生じる搾りかす及び食品くずなどの加工残さ並びに生ごみなどの農産系廃棄物を炭化品として加工処理する廃棄物処理装置に関する。
【０００２】
【発明が解決しようとする課題】
従来、木材または籾殻などを炭化処理する技術があるが、食品加工残さ及び生ごみなどの農産系廃棄物は水分が多いから、籾殻などと同様の炭化処理を容易に行い得ず、農産系廃棄物を炭化加工するのに必要な作業時間の短縮並びに処理コストの低減などを容易に行い得ない等の問題がある。
【０００３】
【課題を解決するための手段】
然るに、本発明は、食品加工残さまたは生ごみなどの農産系廃棄物を細断する粉砕機と、前記細断された農産系廃棄物を投入して乾燥させて炭化材料を得る乾燥部と、前記炭化材料を炭化するための炭化炉と燃焼炉とを有する炭化部と、該炭化部によって炭化させた前記炭化材料を炭化品として取出す炭化品取出部とを備えたから、籾殻などの補助炭化材料に比べて含水量が多い前記廃棄物を炭化加工する作業時間の短縮並びに処理コストの低減などを容易に行い得ると共に、炭化させる前記廃棄物の種類または性状などの制限を容易に緩和し得、炭化に不適正な廃棄物の選別除去など炭化作業の前処理の省略または簡略化を容易に行い得、前記廃棄物によって形成する炭化品の品質向上並びに前記廃棄物の炭化作業性の向上などを容易に図り得るものである。
【０００４】
また、前記炭化部における燃焼炉で発生する乾留ガス燃焼空気を前記乾燥部に乾燥熱源として供給するように構成したから、前記乾燥部に特別に熱源を設けることなく農産系廃棄物を乾燥し得、前記廃棄物の乾燥コストの低減などを容易に図り得るものである。
【０００５】
また、籾殻等の補助炭化材料を前記炭化炉に供給する補助供給部を備え、前記炭化部では、炭化作業開始時にバーナの加熱により前記補助炭化材料を炭化させて乾留ガスを発生させ、この乾留ガスの燃焼によって前記炭化炉を高温に維持し、炭化作業時、前記炭化炉が高温に維持されているときは、前記バーナを消炎させ、炭化作業時、前記炭化炉の温度が炭化に必要な温度より低下するときには、前記補助炭化材料と前記炭化材料との混合物を前記炭化炉に送り込むように構成されているので、前記廃棄物を炭化するのに必要な熱量を容易に確保し得ると共に、作業開始時に補助炭化材料だけを炭化させることにより、乾燥部に必要な熱風を炭化部で容易に発生させ得るものである。
【０００６】
【０００７】
また、乾燥部で乾燥させた農産系廃棄物を乾粉として取出す乾粉取出部を設けたもので、土壌改良材などに用いる炭化品とは別に、飼料などに活用する乾粉を取出すことにより、前記廃棄物の処理後の用途を容易に拡大し得、前記廃棄物を種類または成分に応じて有効活用し得るものである。
【０００８】
【発明の実施の形態】
以下、本発明の実施例を図面に基づいて詳述する。図１は農産系廃棄物の処理説明図、図２は同処理施設の正面図、図３は同平面図であり、炭化炉（１）及び燃焼炉（２）を備えた炭化部（３）を設けるもので、炭化材料を原料ホッパー（４）に投入し、電動モータ（５）によって駆動する原料フィーダ（６）から前記ホッパー（４）の炭化材料を炭化炉（１）に搬入させると共に、電動モータ（７）によって駆動するスクリュ型炭化コンベヤ（８）を炭化炉（１）に内設させる。また、灯油を燃焼させるバーナ（９）と、空気を送込む電動ブロア（１０）を設け、前記コンベヤ（８）によって送る炭化材料を加熱して乾留ガスを発生させ、乾留ガスを燃焼させて炭化炉（１）内部の温度を高温維持させ、前記コンベヤ（８）によって送る途中の炭化材料を連続的に炭化させると共に、電動モータ（１１）によって駆動する冷却フィーダ（１２）を前記コンベヤ（８）の送り終端側に設け、前記コンベヤ（８）終端から送出される炭化品に水を散水ノズル（１３）から散布した後、前記炭化品を冷却フィーダ（１２）によって取出すように構成している。
【０００９】
また、製品ホッパー（１４）及び袋詰機（１５）を備えた炭化品取出部（１６）を設け、前記冷却フィーダ（１２）によって温度を下げた炭化品を製品コンベヤ（１７）により前記ホッパー（１４）に搬入させ、略一定量の炭化品を袋（１８）に自動的に詰めて取出し、例えば土壌改良材、育苗園芸資材、ろ過吸着剤、脱臭剤、調温剤などとして前記炭化品を利用するように構成している。
【００１０】
さらに、粉砕機（１９）及び乾燥機（２０）を備えた乾燥部（２１）を設け、ホッパー（２２）に投入される食品加工残さ及び生ごみなどの農産系廃棄物を、電動モータ（２３）によって駆動する粉砕機（１９）によって細断した後、電動モータ（２４）によって駆動する原料フィーダ（２５）によって乾燥機（２０）に搬入させると共に、複数の円板で形成する乾燥コンベヤ（２６）に設け、該コンベア（２６）を電動モータ（２７）によって駆動し、また燃焼炉（２）の乾留ガス燃焼空気を乾燥機（２０）に外気混合器（２８）を介して供給させる乾燥給気パイプ（２９）を設け、前記コンベヤ（２６）によって送る途中の農産系廃棄物を乾留ガス燃焼空気によって乾燥させて乾粉を形成するように構成している。
【００１１】
また、前記乾燥機（２０）の乾粉出口を前記原料ホッパー（４）にコンベヤ（３０）及び切換シャッタ（３１）を介して接続させ、乾燥機（２０）で形成した乾粉を炭化材料として原料ホッパー（４）に投入させると共に、乾燥機（２０）の吸湿空気を吸込む換気ブロア（３２）を設け、サイクロン型集塵器（３３）を前記ブロア（３２）に接続させ、ブロア（３２）の吸引によって乾燥機（２０）内部を負圧にして燃焼炉（２）の乾留ガス燃焼空気を吸込ませ、ブロア（３２）の排気を除塵して集めた集塵器（３３）の塵を原料ホッパー（４）に投入させるように構成している。
【００１２】
さらに、乾粉ホッパー（３４）及び袋詰機（３５）を備えた乾粉取出部（３６）を設け、前記乾燥機（２０）の乾粉出口に切換シャッタ（３１）及び乾粉コンベヤ（３７）を介して前記ホッパー（３４）を接続させ、乾燥機（２０）で形成した乾粉を前記シャッタ（３１）及びコンベヤ（３７）を介してホッパー（３４）に搬入させ、略一定量の乾粉を袋（３８）に自動的に詰めて取出し、例えば飼料または肥料などとして乾粉を利用するように構成している。
【００１３】
さらに、籾殻または木材片などの補助炭化材料を前記原料ホッパー（４）に搬入させる補助ホッパー（３９）及びコンベヤ（４０）を備えた補助供給部（４１）を設け、前記農産系廃棄物よりも炭化させ易い籾殻などの補助炭化材料を炭化炉（１）に供給し、炭化作業開始時、バーナ（９）の加熱によって補助炭化材料を炭化して乾留ガスを発生させ、乾留ガスの燃焼によって炭化炉（１）を高温維持して後続の炭化材料を炭化させ、また乾燥機（２０）に乾留ガス燃焼空気を乾燥熱風として供給し、乾粉を形成する農産系廃棄物の乾燥を行うと共に、炭化作業途中で、乾燥機（２０）から炭化炉（１）に投入される乾粉の含水量などが多くて炭化が不十分に行われるとき、籾殻などの補助炭化材料を炭化炉（１）に搬入し、乾粉に補助炭化材料を混合させて炭化させ、炭化炉（１）での炭化を適正に行わせ、炭化炉（１）の温度が不適正に低下するのを防ぎ、またバーナ（９）の灯油消費量を低減させ、また不完全な炭化状態の乾粉が炭化炉（１）から排出されるのを防ぐように構成している。
【００１４】
上記から明らかなように、食品加工残さまたは生ごみなどの農産系廃棄物を投入して乾燥させる乾燥部（２１）と、該乾燥部（２１）によって乾燥させた前記廃棄物を炭化する炭化部（３）と、該炭化部（３）によって炭化させた前記廃棄物を炭化品として取出す炭化品取出部（１６）を設け、前記廃棄物の余分な水分を予め除去した後で炭化させて炭化品を形成させ、籾殻などに比べて含水量が多い前記廃棄物を炭化加工する作業時間の短縮並びに処理コストの低減などを行えると共に、炭化させる前記廃棄物の種類または性状などの制限を緩和し、炭化に不適正な廃棄物の選別除去など炭化作業の前処理の省略または簡略化を行い、前記廃棄物によって形成する炭化品の品質向上並びに前記廃棄物の炭化作業性の向上などを図るもので、炭化部（３）に発生する乾留ガス燃焼空気を乾燥部（２１）に乾燥熱源として供給し、前記乾燥部（２１）に特別に熱源を設けることなく農産系廃棄物を乾燥し、前記廃棄物の乾燥コストの低減などを図るように構成している。
【００１５】
また、補助炭化材料を炭化部（３）に供給する補助供給部（４１）を設け、炭化し易い粉殻または木材片などの補助炭化材料を農産系廃棄物に混合させて炭化させ、前記廃棄物に必要な熱量を確保すると共に、作業開始時に補助炭化材料だけを炭化させ、乾燥部（２１）に必要な熱風を炭化部で発生させる。また、乾燥機（２０）に投入する農産系廃棄物を細断する粉砕機（１９）を乾燥部に設け、乾燥させる前記廃棄物の事前選別など前処理作業の省略または簡略化などを行うと共に、前記廃棄物の乾燥時間の短縮などを図る。また、乾燥部（２１）で乾燥させた農産系廃棄物を乾粉として取出す乾粉取出部（３６）を設け、土壌改良材などに用いる炭化品とは別に、飼料などに活用する乾粉を取出し、前記廃棄物の処理後の用途を拡大し、前記廃棄物を種類または成分に応じて有効活用するように構成している。
【００１６】
本実施例は上記の如く構成しており、籾殻などの補助炭化材料を補助供給部（４１）から原料ホッパー（４）に投入して炭化炉（１）に搬入させ、バーナ（９）の加熱によって炭化炉（１）内の補助炭化材料を炭化させ、また炭化によって発生する乾留ガスを燃焼させ、乾留ガス燃焼空気である熱風を乾燥機（２０）に送給させると共に、例えば各種飲料（ビール、コーヒーなど）または豆腐などの搾りかす、野菜及び負具または菓子パンなどの加工残さ、並びに生ごみ等の農産系廃棄物を粉砕機（１９）によって裁断して乾燥機（２０）に搬入させ、炭化部（３）に発生する乾留ガス燃焼空気を乾燥熱風として用いる乾燥機（２０）により農産系廃棄物を乾燥させて乾粉を形成する。
【００１７】
また、前記乾燥機（２０）の乾粉を乾粉取出部（３６）に搬出させ、乾粉を飼料などとして袋（３８）詰め出荷すると共に、前記乾燥機（２０）の乾粉を原料ホッパー（４）から炭化炉（１）に搬入させ、乾粉を炭化させて炭化品を形成して製品取出部（１６）に搬出させ、農産系廃棄物を原料とする乾粉で形成した炭化品を土壌改良材などとして袋（１８）詰め出荷させる。
【００１８】
また、炭化作業時、炭化炉（１）が乾留ガスの燃焼によって高温維持されるときはバーナ（９）を消炎させ、灯油消費量を低減させると共に、農産系廃棄物の炭化に必要な温度よりも炭化炉（１）温度が低下するとき、籾殻などの補助炭化材料を補助供給部（４１）から炭化炉（１）に供給し、乾留ガスを十分に発生させて炭化炉（１）を高温維持したり、バーナ（９）を再び着火させて炭化炉（１）を高温維持する。
【００１９】
【発明の効果】
以上実施例から明らかなように本発明は、食品加工残さまたは生ごみなどの農産系廃棄物を細断する粉砕機と、前記細断された農産系廃棄物を投入して乾燥させて炭化材料を得る乾燥部と、前記炭化材料を炭化するための炭化炉と燃焼炉とを有する炭化部と、該炭化部によって炭化させた前記炭化材料を炭化品として取出す炭化品取出部とを備えたから、籾殻などの補助炭化材料に比べて含水量が多い前記廃棄物を炭化加工する作業時間の短縮並びに処理コストの低減などを容易に行い得ると共に、炭化させる前記廃棄物の種類または性状などの制限を容易に緩和し得、炭化に不適正な廃棄物の選別除去など炭化作業の前処理の省略または簡略化を容易に行い得、前記廃棄物によって形成する炭化品の品質向上並びに前記廃棄物の炭化作業性の向上などを容易に図り得るという効果を奏する。
【００２０】
また、前記炭化部における燃焼炉で発生する乾留ガス燃焼空気を前記乾燥部に乾燥熱源として供給するように構成したから、前記乾燥部に特別に熱源を設けることなく農産系廃棄物を乾燥し得、前記廃棄物の乾燥コストの低減などを容易に図り得るという効果を奏する。
【００２１】
また、籾殻等の補助炭化材料を前記炭化炉に供給する補助供給部を備え、前記炭化部では、炭化作業開始時にバーナの加熱により前記補助炭化材料を炭化させて乾留ガスを発生させ、この乾留ガスの燃焼によって前記炭化炉を高温に維持し、炭化作業時、前記炭化炉が高温に維持されているときは、前記バーナを消炎させ、炭化作業時、前記炭化炉の温度が炭化に必要な温度より低下するときには、前記補助炭化材料と前記炭化材料との混合物を前記炭化炉に送り込むように構成されているので、前記廃棄物を炭化するのに必要な熱量を容易に確保し得ると共に、作業開始時に補助炭化材料だけを炭化させることにより、乾燥部に必要な熱風を炭化部で容易に発生させ得るという効果を奏する。
【００２２】
【００２３】
また、乾燥部で乾燥させた農産系廃棄物を乾粉として取出す乾粉取出部を設けたもので、土壌改良材などに用いる炭化品とは別に、飼料などに活用する乾粉を取出すことにより、前記廃棄物の処理後の用途を容易に拡大し得、前記廃棄物を種類または成分に応じて有効活用し得るという効果を奏する。
【図面の簡単な説明】
【図１】農産系廃棄物の処理説明図である。
【図２】同処理施設の正面図である。
【図３】同平面図である。
【符号の説明】
（３）炭化部
（１６）炭化品取出部
（１９）粉砕機
（２０）乾燥機
（２１）乾燥部
（３６）乾粉取出部
（４１）補助供給部
【図１】
0003871001.tif 000002
【図２】
0003871001.tif 000003
【図３】
0003871001.tif 000004